(57)【要約】      （修正有）【課題】容易にマスクを取り出すことができるパッケージを提供する。【解決手段】パッケージは、マスク部４及び当該マスク部４に連結される可撓性を有する平面状のシールド部６を有するマスク２と、それぞれのマスク部４同士が積層されると共にそれぞれのシールド部６同士が積層されるように、複数のマスク２を積層させて収容する収容容器３と、を備え、水平方向に沿ってマスク２が積層された状態で、収容容器３からマスク２を取り出し可能なパッケージであって、シールド部６は、マスク部４と連結される側の縁である端部と、端部とは反対側の縁である頂部と、を有し、収容容器３は、マスク２の積層方向においてマスク２と対向するように配置される第１の壁部と、積層方向に沿って延びるように配置される第２の壁部と、を少なくとも備える。【選択図】図２
2013230380.tif 000002
【特許請求の範囲】
【請求項１】
マスク部及び当該マスク部に連結される可撓性を有する平面状のシールド部を有するマスクと、
それぞれの前記マスク部同士が積層されると共にそれぞれの前記シールド部同士が積層されるように、複数の前記マスクを積層させて収容する収容容器と、を備え、
水平方向に沿って前記マスクが積層された状態で、前記収容容器から前記マスクを取り出し可能なパッケージであって、
前記シールド部は、前記マスク部と連結される側の縁である端部と、前記端部とは反対側の縁である頂部と、を有し、
前記収容容器は、
前記マスクの積層方向において前記マスクと対向するように配置される第１の壁部と、
前記積層方向に沿って延びるように配置される第２の壁部と、を少なくとも備え、
前記マスクを取り出し可能な状態において、
前記第１の壁部には、前記マスクを取り出すための開口部が形成され、
前記第２の壁部は、前記収容容器の下面側に配置され、
前記マスクは、前記シールド部の前記頂部が前記第２の壁部側を向くように前記収容容器内に収容される、パッケージ。
【請求項２】
前記収容容器は、前記積層方向に沿って延びて前記マスクの幅方向に互いに対向する一対の第３の壁部を備え、
前記シールド部の前記幅方向の大きさは、前記一対の第３の壁部同士の間の距離よりも大きい、請求項１に記載のパッケージ。
【請求項３】
前記シールド部の前記端部には、前記マスク部の幅方向に沿って延在する延在部が形成されると共に、前記幅方向の中央位置に溝が形成され、
前記マスクを取り出し可能な状態において、前記第１の壁部には前記開口部の上側に上側縁部が形成され、前記上側縁部は、当該上側縁部と前記溝との間への使用者の指の進入を許容すると共に、前記上側縁部と前記延在部との間への前記使用者の指の進入を規制する、請求項１又は２に記載のパッケージ。
【請求項４】
前記マスクを取り出し可能な状態において、前記第１の壁部には、前記開口部の上側に上側縁部が形成され、前記開口部の下側に下側縁部が形成され、前記開口部の横側のそれぞれに一対の横側縁部が形成される、請求項１〜３の何れか一項に記載のパッケージ。
【請求項５】
前記収容容器は、前記開口部を塞ぐ蓋部を有し、
前記蓋部と前記上側縁部との間の境界には第１のミシン目が形成され、
前記蓋部と前記下側縁部との間の境界には第２のミシン目が形成され、
前記蓋部と前記一対の横側縁部との間の境界には第３のミシン目及び第４のミシン目がそれぞれ形成され、
前記第１のミシン目は、前記第２のミシン目、前記第３のミシン目、及び前記第４のミシン目に比して強度が高い、請求項４に記載のパッケージ。
【請求項６】
前記収容容器は、前記積層方向において前記マスクを介して前記第１の壁部の反対側に配置される第４の壁部を備え、前記第４の壁部の外面には、前記収容容器を外部の壁に固定可能とする固定構造が設けられる、請求項１〜５の何れか一項に記載のパッケージ。
【請求項７】
前記第２の壁部の内面の略全域は平面状に構成されている、請求項１〜６の何れか一項に記載のパッケージ。
【請求項８】
マスク部及び当該マスク部に連結される平面状のシールド部を有するマスクと、
それぞれの前記マスク部同士が積層されると共にそれぞれの前記シールド部同士が積層されるように、複数の前記マスクを積層させて収容する収容容器と、を備えるパッケージを用いたマスクの取り出し方法であって、
前記収容容器の、前記マスクの積層方向において前記マスクと対向するように配置される第１の壁部に、前記マスクを取り出すための開口部を形成する工程と、
水平方向に沿って前記マスクが積層された状態となるように、前記パッケージを設置する工程と、を備え、
前記シールド部は、前記マスク部と連結される側の縁である端部と、前記端部とは反対側の縁である頂部と、を有し、
前記パッケージを設置する工程では、前記シールド部の前記頂部が、前記収容容器の下面側に配置される第２の壁部側を向く、マスクの取り出し方法。
【発明の詳細な説明】
【技術分野】
【０００１】
本発明の一形態は、パッケージ、及びマスクの取り出し方法に関する。
【背景技術】
【０００２】
従来、シールド部を有するマスクを取り出しするために、マスクを積層して収容容器に収容したパッケージが知られている。例えば下記特許文献１には、使用者の目を保護するためのシールド部を有するマスクを積層して収容容器に収容すると共に、使用時において収容したマスクを取り出し可能なパッケージが記載されている。
【先行技術文献】
【特許文献】
【０００３】
【特許文献１】特表平１１−２７７６０号公報
【発明の概要】
【発明が解決しようとする課題】
【０００４】
ここで、上述のようなパッケージは、マスクを取り出し可能な状態においては、マスクの積層方向が鉛直となるような向きに収容容器が設置される。すなわち、パッケージを平置きにした状態でマスクの取り出しが行われる。しかしながら、マスクが用いられる医療現場においては、マスクなどの消耗品は、平置きにして取り出しするよりも、マスクの積層方向が水平となるような横置きの状態で取り出しする方が、使用者にとっての利便性が高い。また、通常のマスクとは異なりシールド部を有するマスクを、容易に取り出し可能とすることも要請されていた。
【課題を解決するための手段】
【０００５】
本発明の一形態に係るパッケージは、マスク部及び当該マスク部に連結される可撓性を有する平面状のシールド部を有するマスクと、それぞれのマスク部同士が積層されると共にそれぞれのシールド部同士が積層されるように、複数のマスクを積層させて収容する収容容器と、を備え、水平方向に沿ってマスクが積層された状態で、収容容器からマスクを取り出し可能なパッケージであって、シールド部は、マスク部と連結される側の縁である端部と、端部とは反対側の縁である頂部と、を有し、収容容器は、マスクの積層方向においてマスクと対向するように配置される第１の壁部と、積層方向に沿って延びるように配置される第２の壁部と、を少なくとも備え、マスクを取り出し可能な状態において、第１の壁部には、マスクを取り出すための開口部が形成され、第２の壁部は、収容容器の下面側に配置され、マスクは、シールド部の頂部が第２の壁部側を向くように収容容器内に収容される。
【０００６】
このような形態によれば、水平方向に沿ってマスクが積層された状態、すなわち横置きの状態で、第１の壁部の開口部からマスクを取り出すことができる。ここで、マスクのシールド部は、マスク部に比して質量が大きい部分である。本発明に係るパッケージでは、マスクを取り出し可能な状態において、マスクは、シールド部の頂部が下面側に配置される第２の壁部側を向くように収容容器内に収容される。このような配置とした場合、マスク全体の重心を低くすることができる上、可撓性を有する部材であるためマスク部に比して重量があるシールド部を直接第２の壁部で支持することができるため、マスクが収容容器内で潰れることを防止し、マスクの姿勢を安定させることができる。従って、収容容器内のマスクを開口部から一枚ずつ取り出すことの確実性を向上することができる。以上により、シールド部を有するマスクが水平方向に沿って積層された状態にて、容易にマスクを取り出すことが可能となる。
【０００７】
別の形態に係るパッケージにおいて、収容容器は、積層方向に沿って延びてマスクの幅方向に互いに対向する一対の第３の壁部を備え、シールド部の幅方向の大きさは、一対の第３の壁部同士の間の距離よりも大きくてよい。
【０００８】
別の形態に係るパッケージにおいて、シールド部の端部には、マスク部の幅方向に沿って延在する延在部が形成されると共に、幅方向の中央位置に溝が形成され、マスクを取り出し可能な状態において、第１の壁部には開口部の上側に上側縁部が形成され、上側縁部は、当該上側縁部と溝との間への使用者の指の進入を許容すると共に、上側縁部と延在部との間への使用者の指の進入を規制してよい。
【０００９】
別の形態に係るパッケージにおいて、第１の壁部には、開口部の上側に上側縁部が形成され、開口部の下側に下側縁部が形成され、開口部の横側のそれぞれに一対の横側縁部が形成されてよい。
【００１０】
別の形態に係るパッケージにおいて、シールド部の端部には、マスク部の幅方向に沿って延在する延在部が形成されると共に、幅方向の中央位置に溝が形成され、マスクを取り出し可能な状態において、上側縁部は、当該上側縁部と溝との間への使用者の指の進入を許容すると共に、上側縁部と延在部との間への使用者の指の進入を規制してよい。
【００１１】
別の形態に係るパッケージにおいて、収容容器は、積層方向においてマスクを介して第１の壁部の反対側に配置される第４の壁部を備え、第４の壁部の外面には、収容容器を外部の壁に固定可能とする固定構造が設けられてよい。
【００１２】
別の形態に係るパッケージにおいて、下面壁の内面の略全域は平面状に構成されていてよい。
【００１３】
本発明の一形態に係るマスクの取り出し方法は、マスク部及び当該マスク部に連結される平面状のシールド部を有するマスクと、それぞれのマスク部同士が積層されると共にそれぞれのシールド部同士が積層されるように、複数のマスクを積層させて収容する収容容器と、を備えるパッケージを用いたマスクの取り出し方法であって、収容容器の、マスクの積層方向においてマスクと対向するように配置される第１の壁部に、マスクを取り出すための開口部を形成する工程と、水平方向に沿ってマスクが積層された状態となるように、パッケージを設置する工程と、を備え、シールド部は、マスク部と連結される側の縁である端部と、端部とは反対側の縁である頂部と、を有し、パッケージを設置する工程では、シールド部の頂部が、収容容器の下面側に配置される第２の壁部側を向く。
【００１４】
このような形態によれば、上述のパッケージと同様な作用・効果を得ることができる。
【発明の効果】
【００１５】
本発明の一側面によれば、シールド部を有するマスクが水平方向に沿って積層された状態にて、容易にマスクを取り出すことが可能である。
【図面の簡単な説明】
【００１６】
【図１】本実施形態に係るパッケージの斜視図である。
【図２】マスクを取り出し可能な状態におけるパッケージの様子を示す斜視図である。
【図３】マスクを取り出し可能な状態におけるパッケージの正面図、及びマスクの正面図である。
【図４】図２に示すＩＶ−ＩＶ線に沿った断面図である。
【図５】図２に示すＶ−Ｖ線に沿った断面図である。
【図６】パッケージを構成する収容容器３の型紙を展開した状態を示す図である。
【図７】マスクを取り出し可能な状態におけるパッケージの様子を示す斜視図であって、蓋部を残した場合の様子を示す斜視図である。
【図８】上側縁部とマスクとの位置関係を示す拡大図である。
【図９】比較例に係るパッケージの様子を示す斜視図である。
【発明を実施するための形態】
【００１７】
以下、添付図面を参照して、本発明の実施形態について詳細に説明する。なお、以下の説明において、同一又は相当要素には同一符号を付し、重複する説明を省略する。また「Ｘ方向」、「Ｙ方向」及び「Ｚ方向」の語は、図示する方向に基づいており便宜的なものである。
【００１８】
図１は、本実施形態に係るパッケージ１の斜視図である。図２は、マスク２を取り出し可能な状態におけるパッケージ１の様子を示す斜視図である。図３は、マスク２を取り出し可能な状態におけるパッケージ１の正面図、及びマスク２の正面図である。図４は、図２に示すＩＶ−ＩＶ線に沿った断面図である。図５は、図２に示すＶ−Ｖ線に沿った断面図である。なお、図４及び図５においては、収容容器３の断面のみを示し、マスク２は破断されていない。図６は、パッケージ１を構成する収容容器３の型紙を展開した状態を示す図である。
【００１９】
本実施形態に係るパッケージ１は、マスク２と、複数のマスク２を積層させて収容する収容容器３と、を備えている。このパッケージ１は、商品流通時においてはマスク２を梱包した状態（外気に極力晒されないように、マスク２を密閉空間内に収容した状態）で流通させることができると共に、使用時においては収容容器３に簡単な加工を施すことでマスク２を必要なタイミングで取り出し可能（使用者がマスク２を取り出すことができる状態）とすることができるものである。本実施形態において対象となるマスク２は、使用者の口及び鼻周辺を覆うことができると同時に、目周辺を保護することができるタイプのアイシールド付フェイスマスクである。
【００２０】
図２及び図３に示すように、マスク２は、使用者の口及び鼻周辺を覆うためのマスク部４と、マスク部４に連結されて使用者の眼周辺を覆うためのシールド部６と、を有している。なお、図２及び図３に示されるマスク２は、装着時の状態とは上下逆の状態で図示されている。マスク部４は、矩形状のマスク部材によって形成されており、単一の部材で構成されていてもよく、多層部材で構成されていてもよい。また、鼻橋にかかる端部４ａに沿って、可撓性金属インサート（不図示）を備えていてもよい。マスク部４の幅方向（長辺方向）における両端部４ｃ，４ｃには、耳に掛けるためのゴム紐７が取り付けられている。なお、マスク２の取り付け態様は特に限定されず、耳に掛けるタイプでなくともよく、頭の後ろで紐を結ぶタイプであってもよい。シールド部６は、透明で可撓性を有する平面状の部材から形成されており、マスク部４の端部４ａ側に連結される。シールド部６は、マスク部４の正面（使用者の口が接する面とは反対側の面）に接合されている。マスク部４とシールド部６との連結箇所及び連結態様は特に限定されないが、例えば、両端部４ｃ，４ｃの一部で融着、接着することによって連結してよい。シールド部６の材料としては、ポリエステル、アクリル酸樹脂、ポリカーボネート、ポリスチレン等が用いられる。シールド部６が形成される重合体フィルムは厚さ０．０５ｍｍから０．２５ｍｍ、最も好ましくは厚さ０．１ｍｍであり、シールドに所望の可撓性を付与する。「可撓性」という用語は、シールド部６が形成される材料の弾性率が約４００ＭＰａから７，０００ＭＰａ、好ましくは約１，２００ＭＰａから５，０００ＭＰａ、最も好ましくは約１，３５０ＭＰａから３，５００ＭＰａであることを意味する。
【００２１】
本実施形態に係るシールド部６の形状について説明する。ただし、実施形態に係るシールド部６の形状や大きさは一例に過ぎず、マスク部４に連結されており、使用者の眼を保護することができる構成であれば、どのような構成であってもよい。図３に示すように、シールド部６は、マスク部４と連結される側（すなわち、マスク２の使用状態における下側）の縁である端部１２と、端部１２とは反対側（すなわち、マスク２の使用状態において上側の先端部分）の縁である頂部１１と、マスク２の幅方向における縁である両端部１３，１３と、を有している。頂部１１は、マスク部４の端部４ａから離間した位置で、端部１２とは反対側へ張り出すような円弧を描くように、マスク２の幅方向に沿って広がっている。頂部１１のマスク部４からの突出量、すなわち、頂部１１の頂点１１ａ（最もマスク部４の端部４ａから離れた点）とマスク部４の端部４ａとの間の寸法Ｌ１は、特に限定されないが、５０〜１５０ｍｍに設定される。マスク部４側の端部１２には、マスク部４の幅方向に沿って延在する延在部１４が形成されると共に、幅方向の中央位置にＶ字溝１６が形成される。Ｖ字溝１６の深さ寸法Ｌ２は、特に限定されないが、２０〜６０ｍｍに設定される。また、Ｖ字溝１６の角度αは、特に限定されないが、２０〜１００°に設定される。なお、本実施形態では、Ｖ字溝１６の底部１６ａは、マスク部４の端部４ａとの間で隙間が形成されないように、端部４ａからはみ出ないように設定されている。延在部１４は、中央位置のＶ字溝１６を挟んで幅方向の両側に形成される。本実施形態において、延在部１４はマスク部４の両端部４ｃよりも外側まで延びている。また、両端部１３，１３は、頂部１１側へ向かうに従って広がるように、傾斜して延びている。シールド部６は、幅方向における中央位置付近の領域であって使用者の両目に対応する位置に設けられる基体部１７と、基体部１７の幅方向における両側に設けられる折り曲げ部１８と、に区画される。基体部１７と折り曲げ部１８との間の境界には折り目ＢＬが形成されている。折り目ＢＬは、マスク部４の両端部４ｃ，４ｃよりも僅かに外側の位置で当該両端部４ｃ，４ｃと略平行に形成されている。ただし、折り目ＢＬの位置や形成態様は特に限定されず、折り目ＢＬが設けられていなくともよい。折り曲げ部１８は、折り目ＢＬにおいて、使用者の耳側へ折れ曲るように構成されている。折り曲げ部１８の幅方向の先端部１８ａ，１８ａ同士の間の寸法Ｌ３、すなわちシールド部６の幅方向の全長は、特に限定されないが、２１０〜３４０ｍｍに設定される。
【００２２】
収容容器３は、複数のマスク２を積層させて収容するための直方体箱状又は立方体箱状の容器である。収容容器３内には、１０〜１００枚のマスク２が積層されて収容される。収容容器３内では、それぞれのマスク部４同士が積層されると共にそれぞれのシールド部６同士が積層されるように、複数のマスク２が積層されて収容される。本実施形態では、収容容器３は扁平な直方体箱状に構成されている。収容容器３には、パッケージ１の使用時、すなわちマスク２を取り出し可能な状態においては、マスク２を取り出し可能な開口部２１が形成される（図２等に示す状態）。一方、パッケージ１が使用される前の流通時、すなわち収容容器３の内部空間が密閉された梱包状態においては、開口部２１が蓋部２２で塞がれている（図１等に示す状態）。収容容器３の厚さ方向（すなわち、マスク２の積層方向）をＹ方向とし、Ｙ方向に直交する方向をＸ方向とし、Ｙ方向及びＸ方向に直交する方向をＺ方向とした場合、パッケージ１の向きは、マスク２を取り出し可能な状態においては、Ｙ方向が水平方向に一致し（すなわち、マスク２が水平方向に沿って積層された状態）であり、Ｘ方向が水平方向に一致し、Ｚ方向が鉛直方向に一致するように設定される。なお、Ｚ方向正側が上側であり、Ｚ方向負側が下側である。一方、流通時の梱包状態におけるパッケージ１はＸＹＺ方向がどのような向きに設定されていてもよく、流通時の態様に合わせてあらゆる向きにしてもよい。収容容器３のサイズは、マスク２の大きさや枚数によって適宜変更されるが、例えば、Ｘ方向の大きさは１９０〜３２０ｍｍに設定され、Ｙ方向の大きさは４０〜２６０ｍｍに設定され、Ｚ方向の大きさは１３０〜２７０ｍｍに設定される。
【００２３】
収容容器３は、マスク２の積層方向（Ｙ方向）においてマスク２の表面と対向するように配置される壁部（第１の壁部）２６と、積層方向においてマスク２を介して壁部２６の反対側に配置される壁部（第４の壁部）２７と、を備える。また、収容容器３は、積層方向に沿って延びると共にＺ方向に互いに対向する壁部（第２の壁部）２４及び壁部２３を備える。また、収容容器３は、積層方向に沿って延びると共にＸ方向（詳細は後述するが、マスクの幅方向に対応する）に互いに対向する一対の壁部（第３の壁部）２８，２９を備える。マスク２を取り出し可能な状態では、壁部２３は収容容器３の上面側に配置され、壁部２４は収容容器３の下面側に配置され、壁部２６は収容容器３の正面側に配置され、壁部２７は収容容器３の背面側に配置され、壁部２８，２９は収容容器３の側面側に配置される。以降の説明において、このパッケージ１に対しては、マスク２を取り出し可能な状態を基準として「上」「下」「表（正面）」「背」「横」という語を用いるものとする。積層されている複数のマスク２のうち、一番初めに取り出されるマスク２が配置される側を「表」とし、最後に取り出されるマスク２が配置される側を「背」とする。従って、以降の説明においては、パッケージ１の向きに関わらず、「壁部２３」を「上面壁部２３」と称し、「壁部２４」を「下面壁部２４」と称し、「壁部２６」を「正面壁部２６」と称し、「壁部２７」を「背面壁部２７」と称し、「壁部２８，２９」を「側面壁部２８，２９」と称する。すなわち、収容容器３は、上下方向（Ｚ方向）に平行に対向する上面壁部２３及び下面壁部２４と、マスク２の積層方向（Ｙ方向）に平行に対向する正面壁部２６及び背面壁部２７と、上下方向及び積層方向と直交する方向（Ｘ方向）に平行に対向する一対の側面壁部２８，２９と、を備えている。本実施形態では、正面壁部２６及び背面壁部２７は略正方形の形状をなしているが、マスク２の形状やサイズに合わせて適宜変更されてよい。他の壁部２３，２４，２８，２９は長方形の形状をなしているが、マスク２の形状やサイズや積層枚数に合わせて適宜変更されてよい。
【００２４】
マスク２を取り出し可能な状態において、収容容器３の正面壁部２６には、マスク２を取り出すための矩形状の開口部２１が形成される。開口部２１は、正面壁部２６の中央位置を含む領域に形成された矩形状の貫通孔である。特に限定されるものではないが、開口部２１の上下方向（Ｚ方向）の大きさは７０〜２１０ｍｍであり、幅方向（Ｘ方向）の大きさは１３０〜２６０ｍｍに設定される。開口部２１は、四方にそれぞれ上辺部２１ａ、下辺部２１ｂ、横辺部２１ｃ，２１ｄを有している。上辺部２１ａは、正面壁部２６と上面壁部２３との間の角部３１から平面方向内側（ここでは下側）に離間すると共に、当該角部３１に沿って平行に延びている。下辺部２１ｂは、正面壁部２６と下面壁部２４との間の角部３２から平面方向内側（ここでは上側）に離間すると共に、当該角部３２に沿って平行に延びている。横辺部２１ｃは、正面壁部２６と側面壁部２８との間の角部３３から平面方向内側に離間すると共に、当該角部３３に沿って平行に延びている。横辺部２１ｄは、正面壁部２６と側面壁部２９との間の角部３４から平面方向内側に離間すると共に、当該角部３４に沿って平行に延びている。このように、各辺部が各角部から離間していることによって、正面壁部２６は、開口部２１周りに、上面壁部２３に沿って延びる上側縁部３６、下面壁部２４に沿って延びる下側縁部３７、及び一対の側面壁部２８，２９に沿ってそれぞれ延びる一対の横側縁部３８，３９を有する。すなわち、正面壁部２６には、開口部２１の上側に上側縁部３６が形成され、開口部２１の下側に下側縁部３７が形成され、開口部２１の横側のそれぞれに一対の横側縁部３８，３９が形成される。上側縁部３６は、角部３１と上辺部２１ａとの間の領域に該当する。下側縁部３７は、角部３２と下辺部２１ｂとの間の領域に該当する。横側縁部３８は、角部３３と横辺部２１ｃとの間の領域に該当する。横側縁部３９は、角部３４と横辺部２１ｄとの間の領域に該当する。特に限定されるものではないが、上側縁部３６の幅は１０〜６０ｍｍに設定され、下側縁部３７の幅は１０〜４０ｍｍに設定され、横側縁部３８，３０の幅は１５〜５０ｍｍに設定される。
【００２５】
パッケージ１の流通時などの梱包状態において、図１に示すように、収容容器３は、開口部２１を塞ぐ蓋部２２を有している。蓋部２２と上側縁部３６との間の境界（開口部２１の上辺部２１ａに対応）には第１のミシン目４１が形成される。蓋部２２と下側縁部３７との間の境界（開口部２１の下辺部２１ｂに対応）には第２のミシン目４２が形成される。蓋部２２と横側縁部３８との間の境界（開口部２１の横辺部２１ｃに対応）には第３のミシン目４３が形成される。蓋部２２と横側縁部３９との間の境界（開口部２１の横辺部２１ｄに対応）には第４のミシン目４４が形成される。第１のミシン目４１は、第２のミシン目４２、第３のミシン目４３、及び第４のミシン目４４に比して強度が高い。ミシン目の強度は、粗さを変更することによって調整することができる。第１のミシン目４１は、他のミシン目４２，４３，４４に比して目が粗いため、破れにくくなっている。なお、蓋部２２には、第２のミシン目４２の中央位置に、蓋部２２を除去する際に使用者が指を入れるための開口部を形成するための円弧状の第５のミシン目４５が形成されている。マスク２を取り出し可能な状態において、蓋部２２は完全に開口部２１から取り除かれてもよく（図２参照）、第１のミシン目４１での接続を残しておくことで蓋部２２を残しておいてもよい（図７参照）。図７のように蓋部２２を残しておくことで、蓋部２２をめくることで開口部２１からマスク２を取り出し可能とすると共に、マスク２の取り出し時でないときは開口部２１を塞いでおくことで、収容容器３の内部に埃などが入り込むことを防止することができる。
【００２６】
背面壁部の外面ＳＦには、収容容器３を外部の壁Ｗに固定可能とする固定構造５０が設けられる。図２に示すように、本実施形態では、壁Ｗに設けられたフックＦに掛けるためのフック用開口部５１が固定構造５０として構成されている。フック用開口部５１は、上方に向かって湾曲する半円状の形状を有している。なお、フック用開口部５１の形状は特に限定されず、矩形状や三角形状などであってもよい。フック用開口部５１の形成位置は特に限定されないが、本実施形態では、バランスよく壁Ｗに固定するために、幅方向（Ｘ方向）における中央位置であって、上面壁部２３寄りの位置に形成されている。
【００２７】
収容容器３は、予め所定の形状にカットされた型紙を折り曲げることによって構成される。図６に示すように、収容容器３を構成するための型紙６０は、複数の部分と折り目を有している。なお、図６においては、紙面表側の面が収容容器３の外面に該当し、紙面裏側の面が収容容器３の内面に該当する。収容容器３の外面には表面処理や印刷がなされている。具体的には、型紙６０は、上面壁部２３に対応する形状を有する部分２３ａ、側面壁部２８に対応する形状を有する部分２８ａ、下面壁部２４に対応する形状を有する部分２４ａ、及び側面壁部２９に対応する形状を有する２９ａをこの順で有している。部分２８ａは、部分２３ａと短辺同士で折り目６１を介して接続されている。なお、部分２３ａの他方の短辺には折り目７１を介して固定代となる部分２９ｂが接続されている。部分２４ａは、部分２８ａと短辺同士で折り目６２を介して接続されている。部分２９ａは、部分２４ａと短辺同士で折り目６３を介して接続されている。各部分２３ａ，２８ａ，２４ａ，２９ａの一方の各長辺には、折り目６４，６５，６６，６７を介して、背面壁部２７を構成するための部分２７ａ，２７ｃ，２７ｂ，２７ｄがそれぞれ接続されている。なお、部分２７ａには傾斜する折り目６８を介して部分２７ｅが形成され、部分２７ｂには傾斜する折り目６９を介して部分２７ｆが形成されている。各部分２３ａ，２８ａ，２９ａの他方の各長辺には、折り目７２，７３，７４を介して、正面壁部２６に対応する形状を有する部分２６ａ、横側縁部３８に対応する形状を有する部分２６ｂ、及び横側縁部３９に対応する形状を有する部分２６ｃがそれぞれ接続されている。正面壁部２６に対応する部分２６ａには、角部３２に対応する折り目７５を介して、下面壁部２４の一部を構成する部分２４ｂが接続されている。
【００２８】
部分２３ａ，２８ａ，２４ａ，２９ａ，２９ｂは折り目６１，６２，６３，７１でそれぞれ略９０°折り曲げられる。また、側面壁部２９に対応する部分２９ａの上端部７６付近における内面に、固定代である部分２９ｂが接合され、接着剤などによって固定される。また、部分２７ａ，２７ｃ，２７ｂ，２７ｄは折り目６４，６５，６６，６７でそれぞれ略９０°折り曲げられる。部分２７ｃの外面の一部は部分２７ｅの内面と重なり、部分２７ｃの内面の一部は部分２７ｂの端部７７付近の外面と重なる。また、部分２７ｄの外面の一部は部分２７ｆの内面と重なり、部分２７ｄの内面の一部は部分２７ａの端部７８付近の外面と重なる。また、部分２７ｃと部分２７ｅとは接着剤などによって固定され、部分２７ｄと部分２７ｆとは接着剤などによって固定される。横側縁部３８，３９に対応する部分２６ｂ，２６ｃは折り目７３，７４で略９０°折り曲げられ、その後、正面壁部２６に対応する部分２６ａは折り目７２で略９０°折り曲げられる。下面壁部２４の一部に対応する部分２４ｂは、折り目７５で略９０°折り曲げられ、部分２４ｂの先端部に設けられた挿入部７９が、下面壁部２４に対応する部分２４ａに設けられたスリット８０に挿入される。なお、挿入部７９がスリット８０に挿入された部分にシールなどを貼り付けて固定してよい。
【００２９】
以上により、上面壁部２３は、部分２３ａによって構成される。下面壁部２４は、部分２４ａ，２４ｂによって構成される。正面壁部２６は、部分２６ａ，２６ｂ，２６ｃによって構成される。背面壁部２７は、部分２７ａ，２７ｂ，２７ｃ，２７ｄ，２７ｅ，２７ｆによって構成される。側面壁部２８は、部分２８ａによって構成される。側面壁部２９は、部分２９ａ，２９ｂによって構成される。
【００３０】
次に、収容容器３内でのマスク２の配置について説明する。マスク２を取り出し可能な状態において、マスク２は、シールド部６の頂部１１が下方、すなわち下面壁部２４側を向くように収容容器３内に収容される。Ｚ方向において、フック用開口部５１が形成される側にはマスク部４が配置され、フック用開口部５１と反対側にはシールド部６が配置される。マスク２を取り出し可能な状態においては、マスク２のシールド部６が下面壁部２４上に載置されるように配置される（図５参照）。本実施形態では、マスク２のシールド部６を下方に向けた際にシールド部６の下端部に該当する頂部１１は円弧状に湾曲しているため、頂点１１ａ付近の領域が下面壁部２４に接触するような状態で載置される。例えば、頂部１１が直線状に延びており、下面壁部２４と広い範囲に亘って接触するため、マスク２が開口部２１側に移動する際の抵抗が大きくなるが（ただし、本発明はこのような形態を除くものではない）、本実施形態では、頂点１１ａ付近の狭い範囲で接触するため、マスク２が開口部２１側に移動する際の抵抗が小さく、マスク２のシールド部６が開口部２１側に移動し易くなっている。
【００３１】
また、図４に示すように、マスク２のシールド部６の幅方向における大きさは、収容容器３の幅方向における大きさよりも大きく設定されている。すなわち、マスク２のシールド部６の両折り曲げ部１８を拡げた状態における両先端部１８ａ同士の間の距離は、収容容器３の側面壁部２８，２９同士の間の距離よりも大きく設定されている。従って、マスク２は、シールド部６の折り曲げ部１８が折れ曲った状態で収容される。シールド部６の折り曲げ部１８は、先端部１８ａよりも基体部１７が正面壁部２６側に迫り出すように折れ曲る（すなわち、折り曲げ部１８が正面壁部２６と逆向きへ向かって折れ曲る）。これによって、シールド部６と側面壁部２８，２９との間では弾性力が発生している。これによって、当該弾性力によりシールド部６は側面壁部２８，２９で支持される。このように側面壁部２８，２９によってシールド部６が支持されることでマスク２の収容容器３内での姿勢が維持される。例えば、収容容器３の幅が大きく、側面壁部２８，２９との弾性力による支持がない場合（ただし、本発明はこのような形態を除くものではない）、マスク２の積層方向が水平になるようにしたときに、収容容器３の内部でマスク２の束の姿勢が安定せずばらけ安くなる可能性がある。特に、マスク２の枚数が減ってきたときに、マスク２の姿勢が安定せずによじれてしまう可能性がある。このようなばらけやよじれが生じた場合、ゴム紐７がシールド部６に引っ掛かってしまう可能性があるが、本実施形態ではそのようなばらけやよじれを抑制することができる。なお、上下方向におけるマスク２の大きさ（頂点１１ａとマスク部４の下端との間の距離）は、収容容器３の上下方向における大きさより小さくても、当該大きさ以上であってもよい。本実施形態では、マスク２の上下方向における大きさは、収容容器３の大きさよりも小さく、収容時にマスク部４が緩やかに湾曲するように（図５参照）設定されている。「緩やかに湾曲」とは、マスク２を開口部２１から取り出すときに、ゴム紐７がシールド部６に絡まらない程度に湾曲することである。
【００３２】
また、図８に示すように、マスク２を取り出し可能な状態において、上側縁部３６は、当該上側縁部３６とシールド部６のＶ字溝１６との間への使用者の指の進入を許容すると共に、上側縁部３６とシールド部６の延在部１４との間への使用者の指の進入を規制する機能を有している。なお、図８に示すシールド部６と上側縁部３６との位置関係は、積層方向における最も正面側に配置されて取り出し待機状態におけるマスク２について説明する。本実施形態の説明において「取り出し待機状態」とは、シールド部６の頂部１１が下面壁部２４上に載置され、シールド部６の表面の一部が下側縁部３７及び横側縁部３８，３９に接触する程度に、シールド部６が正面壁部２６に十分に近づいている状態を示すものとする（図２に示す最も手前側のマスク２のような状態）。ただし、実際の使用時においては、シールド部６の表面は下側縁部３７や横側縁部３８，３９とは接触していない場合もあるが、本発明の効果は十分に得ることができる。
【００３３】
具体的には、図８（ａ）に示すように、シールド部６の端部１２側では、上側縁部３６の下端、すなわち上辺部２１ａとＶ字溝１６との間には使用者の指を入れるだけの十分な隙間が形成されている。当該隙間の大きさＧＰ１、すなわち上辺部２１ａとＶ字溝１６の底部１６ａとの間の寸法は、１０〜６０ｍｍに設定される。一方、延在部１４付近の縁部は上側縁部３６とオーバーラップ（積層方向から見て重なり合っている）することにより、延在部１４と上辺部２１ａとの間には隙間が設けられていない。完全にオーバーラップしていなくとも延在部１４と上辺部２１ａが略一致していてもよい。なお、オーバーラップ量が大きくなりすぎた場合、取り出し易さに影響が及ぼされる。従って、オーバーラップ量ＲＰ、すなわち上辺部２１ａと延在部１４との間の寸法（延在部１４が傾斜しているときは、上辺部２１ａから最も離れた部分と上辺部２１ａとの間の寸法）は、０〜２０ｍｍに設定される。
【００３４】
あるいは、図８（ｂ）に示すように、延在部１４と上側縁部３６との間に隙間が形成されていても、当該隙間の大きさが使用者の指ＦＧが進入することができない程度の大きさに設定されていればよい。当該隙間は、例えば使用者の人差し指の厚さ（例えば、成人男性の平均値などを採用してよい）よりも小さい寸法に設定することができる。当該隙間の大きさＧＰ２、すなわち上辺部２１ａと延在部１４との間の寸法（延在部１４が傾斜しているときは、上辺部２１ａから最も離れた部分と上辺部２１ａとの間の寸法）は、１５ｍｍ以下に設定される。
【００３５】
なお、上述で説明した寸法関係の設定は、収容容器３及びマスク２の設計時になされ、実際の使用時ではマスク２の曲がり具合やシールド部６の撓み具合などによって当該寸法関係が完全に実現されない可能性もあるが、本実施形態では、上述のようにシールド部６と側面壁部２８，２９と間の弾性力によってシールド部６の姿勢が維持されていることによって、設計時における寸法関係を実際の使用時において高い実現性で実現することができる。
【００３６】
次に、本実施形態に係るパッケージ１を用いたマスク２の取り出し方法について説明する。まず、図１に示す状態のパッケージ１に対し、ミシン目を破断することによって収容容器３の正面壁部２６に設けられた蓋部２２を取り除く（あるいは図７のように開閉可能に残しておく）ことによって、正面壁部２６に開口部２１を形成する工程を実行する。このとき、ミシン目を破断してフック用開口部５１も形成しておく。
【００３７】
その後、図２に示すように、マスク２の積層方向が水平となるように、パッケージ１を取り出し場所に設置する。具体的には、壁ＷのフックＦに、フック用開口部５１を掛けることで、パッケージ１を壁Ｗに固定する。このとき、上面壁部２３が上側に配置されると共に下面壁部２４が下側に配置され、収容容器３内部のマスク２は、シールド部６の頂部１１が下面壁部２４側を向くように配置された状態となる（図２及び図５参照）。これによって、パッケージ１からマスク２を取り出し可能な状態が完成する。使用者は、開口部２１からマスク２を一枚ずつ取り出すことができる。なお、収容容器３表面には、絵や文字を上面壁部２３側を上方とし、下面壁部２４側を下方として印刷することによって、これらの絵や文字を、パッケージ１設置時の設置方向指示手段として機能させることができる。なお、矢印の絵や「上、下」「天、地」などの文字を表示して直接的に設置方向を指示してもよい。
【００３８】
次に、本実施形態に係るパッケージ１の作用・効果について説明する。
【００３９】
マスクの取り出し時においてマスクの積層方向が鉛直となるような平置きタイプのパッケージ（例えば、特許文献１）の場合、使用者がマスク２を取り出すときは、最上側に配置されるマスクのみならず、下側のマスク２までつかんでしまい、一枚ずつマスク２を取り出すことが難しい場合があった。特に、マスク２の枚数が少なくなったときは使用者は収容容器の奥まで手を入れなくてはならず、更に取り出し難くなる場合があった。また、マスク２が用いられる医療現場においては、マスク２などの消耗品は、平置きにして取り出しするよりも、部屋の壁や廊下の壁などに設置して、マスク２の積層方向が水平となるような横置きの状態で取り出しする方が、使用者にとっての利便性が高い。
【００４０】
更に、本発明の発明者らは、鋭意研究の結果、図９に示すパッケージ１００のように、シールド部６の頂部１１が上面壁部２３側を向くように収容容器１０３に収容された場合についての課題を見出すに至った。このような配置とした場合、マスク２のシールド部６はマスク部４に比して質量が大きい部分であるため、収容容器３内でマスク２全体の重心は高い位置に配置される上、マスク部４よりも上方に配置されることとなる。従って、マスク２全体の質量をマスク部４で支えることとなるため、マスク部４は収容容器３内で潰れた状態となり、シールド部６の収容容器３内での姿勢も安定しない状態となる。マスク部４が潰れた状態となると、ゴム紐７がシールド部６に絡まる場合があり、マスク２を一枚だけ取り出そうとしても、同時にゴム紐７が絡まった他のマスク２も開口部２１から落下してしまう可能性がある。このように落下した場合は、地面にマスク２が落ちることで汚れる上、透明なシールド部６に傷がついてしまう。また、例えば、図９に示すように、積層されたマスク２のうち、正面側の数枚のマスク２のシールド部６の頂部１１側の部分が、開口部２１からＹ方向にはみ出すように湾曲する場合がある。このような状態においては、上側縁部３６とシールド部６の頂部１１との間にＹ方向の隙間が形成されてしまうことにより、当該隙間から埃などが入り込んでしまうという問題がある。また、頂部１１側が開口部２１からはみ出すため、使用者は直感的にＶ字溝１６ではなく、頂部１１付近をつかんでマスク２を取出そうとしてしまう。しかしながら、シールド部６は薄いため、互いに重なり合った複数のシールド部６の頂部１１のうちから、一枚だけ取り出すのには手間がかかり、複数枚のマスク２を取出してしまう可能性がある。また、仮に使用者がＶ字溝１６に指を引っ掛けようとしても、頂部１１側が開口部２１からはみ出した状態となっているため、Ｖ字溝１６に指を引っ掛け難く、引っ掛けたとしても取り出し難いという問題がある。以上より、本発明の発明者らは、図９に示すようなパッケージ１００では、マスク２を一枚ずつ取り出し難いという問題があることを見出した。
【００４１】
一方、本実施形態に係るパッケージ１では、マスク２を取り出し可能な状態において、マスク２は、シールド部６の頂部１１が下面壁部２４側を向くように収容容器３内に収容される。このような配置とした場合、マスク２全体の重心を低くすることができる上、可撓性を有する部材であるためマスク部に比して重量があるシールド部６を直接下面壁部２４で支持することができるため、マスク２が収容容器３内で潰れることを防止し、マスク２の姿勢を安定させることができる。従って、図２及び図５に示すように、マスク２は開口部２１から大きくはみ出すことなく、最も正面側のマスク２は、安定した姿勢で取り出し待機状態となるため、使用者が確実にマスク２を一枚だけ開口部２１から取り出すことができる。また、一枚のマスク２が取り出された後も、次のマスク２のシールド部６の頂部１１が下面壁部２４上を正面側へ移動し、安定した姿勢で取り出し待機状態となるため、確実に一枚だけ取り出すことができる。当該効果は、頂部１１が下面壁部２４を向いている点に加え、シールド部６の幅方向の大きさが側面壁部２８，２９同士の間の距離よりも大きいこと、及び折り曲げ部１８が正面壁部２６と逆向きへ向かって折れ曲ることにより、折り曲げ部１８の張力が開口部２１側へ向かうように発生していることによって発揮されている。このとき、可撓性を有する部材であるためマスク部に比して重量があるシールド部６を直接下面壁部２４で支持することができることにより、マスク部４が潰れてよじれてゴム紐７がシールド部６に引っ掛かることも抑制できるため、一のマスク２の取り出しに伴って他のマスク２が落下することも抑制される。収容容器３内のマスク２の残り枚数が少なくなってもマスク２の安定した姿勢が維持され続けるため、最後の一枚まで確実に一枚ずつマスク２を取り出すことができ、収容容器３内のマスク３を開口部２１から一枚ずつ取り出すことの確実性を向上することができる。以上により、シールド部６を有するマスク２の積層方向が平行な状態にて、容易にマスク２を取り出すことが可能となる。
【００４２】
また、本実施形態に係るパッケージ１において、シールド部６のマスク部４側の端部１２には、マスク部４の幅方向に沿って延在する延在部１４が形成されると共に、幅方向の中央位置にＶ字溝１６が形成される。マスク２を取り出し可能な状態において、上側縁部３６は、当該上側縁部３６とＶ字溝１６との間への使用者の指の進入を許容すると共に、上側縁部３６と延在部１４との間への使用者の指の進入を規制している。例えば、マスク部４を摘まんで取り出そうとする場合、背面側の他のマスク２のマスク部４も同時に摘まんでしまう場合があり、複数枚のマスク２が取り出されてしまう可能性がある。しかしながら、Ｖ字溝１６に指を引っ掛けた場合は、他のマスク２を摘まんでしまうことはないため、使用者は確実に一枚だけマスク２を取り出すことができる。また、Ｖ字溝１６は、幅方向における中央位置に設けられており、上下方向においてもマスク部４とシールド部６との間の境界付近に形成されているため、Ｖ字溝１６に指をかけてマスク２を取り出すことにより、使用者は取り出し待機状態にあるマスク２をよじれ無くスムーズに取り出すことができる。また、最も正面側のマスク２をよじれ無く取り出すことができるため、背面側の複数のマスク２も姿勢を乱されることなく安定した姿勢を維持することができる。更に、上側縁部３６は、当該上側縁部３６とＶ字溝１６との間への使用者の指の進入を許容すると共に、上側縁部３６と延在部１４との間への使用者の指の進入を規制している。従って、使用者は、Ｖ字溝１６に入れてマスク２を取り出せばよいことを直感的に理解することができる。また、延在部１４側へ指が進入することは規制されているため、使用者がＶ字溝１６に指を入れることを確実に誘導することができる。
【００４３】
また、本実施形態に係るパッケージ１において、正面壁部２６には、開口部２１の上側に上側縁部３６が形成され、開口部２１の下側に下側縁部３７が形成され、開口部２１の横側のそれぞれに一対の横側縁部３８，３９が形成される。これによって、使用時において、各縁部によってマスク２の一部が覆われることにより、より衛生的なパッケージ１を提供できる。
【００４４】
また、本実施形態に係るパッケージ１において、収容容器３は、開口部２１を塞ぐ蓋部２２を有し、蓋部２２と上側縁部３６との間の境界には第１のミシン目４１が形成され、蓋部２２と下側縁部３７との間の境界には第２のミシン目４２が形成され、蓋部２２と一対の横側縁部３８，３９との間の境界には第３のミシン目４３及び第４のミシン目４４がそれぞれ形成されている。また、第１のミシン目４１は、第２のミシン目４２、第３のミシン目４３、及び第４のミシン目４４に比して強度が高い。従って、使用者は、各ミシン目を破断することによって、図２に示すように開口部２１を完全に開放した状態で使用するか、図７に示すようにマスク２の取り出し時以外は蓋部２２で開口部２１を塞ぐ状態で使用するかを選択することができる。図７のような使用態様を選択した場合、上側縁部３６側の第１のミシン目４１が蓋部２２のヒンジとして機能するが、当該第１のミシン目４１の強度が高いため、蓋部２２が容易に外れることを抑制できる。
【００４５】
また、本実施形態に係るパッケージ１において、背面壁部２７の外面には、収容容器３を外部の壁Ｗに固定可能とする固定構造５０が設けられている。これによって、使用者は、パッケージ１を容易に壁Ｗに固定することができる。
【００４６】
本発明は、上述の実施形態に限定されるものではない。例えば、上述で示したマスク２は一例に過ぎず、マスク部の形状やシールド部の形状は適宜変更可能である。例えば、シールド部の形状は、マスク部に連結されている側の端部と、反対側の端部が並行に形成されていても良い。また、他の態様では、頂部が凹状であってもよい。また、シールド部のマスク部に連結されている側の端部に形成される溝は、円形、長円形、楕円形、矩形、多角形などであってもよい。
【００４７】
上述の実施形態に係るパッケージ１において、下面壁部２４には挿入部７９による僅かな段差が形成されていたが、このような段差を一切設けず、下面壁部２４の内面の略全域（少なくとも頂部１１が接触しうる範囲の全域）は平面状に構成されていてよい。例えば、挿入部７９をスリット８０に挿入していたが、スリット８０を設けず、単にテープで部分２４ａ及び部分２４ｂを固定するような態様でもよい。あるいは、上述の実施形態において、上面壁部２３に対応する部分を下面壁部とし、下面壁部２４に対応する部分を上面壁部としてもよい。
【００４８】
また、パッケージ１を壁Ｗに固定するための固定構造５０としてフックＦに対するフック用開口部５１を例示したが、これに限定されない。例えば、スリーエム社から販売されているコマンド（登録商標）タブなどを、背面壁部２７に設けることによって固定構造５０を構成してもよい。あるいは、両面テープなどを貼り付けておいてもよい。その他、壁掛けラックに設置するなどの構成を採用してもよい。また、固定構造５０が設けられていなくともよく、使用者が任意の方法で壁に固定してもよい。また、パッケージ１は横置き状態であればよいため、壁Ｗに固定するような使用態様のみならず、机や棚の上に横置きしてもよい。
【００４９】
なお、収容容器３の開口部２１は少なくとも梱包状態においては蓋部２２で閉じられていたが、開口部２１を閉じることができれば蓋部２２を採用しなくともよい。例えば、正面壁部全体を覆うような壁部で開口部２１を閉じてもよく、収容容器３全体を別の容器や袋やフィルムなどで覆ってもよい。
【００５０】
また、開口部の形状は矩形状でなくともよく、円形、長円等、あらゆる形状を採用してよい。また、上側縁部、下側縁部、横側縁部の何れかを省略してもよい。また、収容容器の形状も長方形箱状でなくともよく、少なくとも開口部を形成できる壁部と、シールド部の頂部を支持できる壁部を有していればよく、他の部分はどのような形状にしてもよい。
【００５１】
また、シールド部６において鼻との干渉を回避すると共に、マスク２取り出し時においては指を引っ掛ける部分であるＶ字溝は、端部１２から頂部１１側へ窪むような溝であれば形状は特に限定されない。例えば、Ｕ字溝（溝全体が湾曲しているようなＵ字状であってもよく、延在部１４から延びる一部の領域は直線状に平行に延びて先端側で湾曲するようなＵ字状であってもよい）であってもよい。
【００５２】
［実施例］
以下、実施例に基づいて本発明の一形態に係るパッケージを具体的に説明するが、パッケージの構成は下記の実施例に限定されるものではない。
【００５３】
マスクとして、スリーエムヘルスケア社製の「ガード付き耳掛け式サージカルマスク  １８２０ＦＳＪ−Ｈ」を用いた。紙厚３５０ｇ／ｍ２のボール紙を用いて図６に示す型紙を形成し、当該型紙を折り曲げることによって収容容器を形成した。収容容器は、幅（Ｘ方向の大きさ）２２０ｍｍ、高さ（Ｚ方向の大きさ）１８９ｍｍ、厚さ（Ｙ方向の大きさ）９５ｍｍであり、開口部は、幅（Ｘ方向の大きさ）１６２ｍｍ、高さ（Ｚ方向の大きさ）１４０ｍｍとした。ラック用貫通孔は、幅方向中央位置において、直径２０ｍｍの半円状の貫通孔を上面壁部から当該半円の中心までのＺ方向の距離を２５ｍｍの位置に形成した。第１のミシン目の粗さは、残る長さを１ｍｍ、切れる長さを２ｍｍとした。この当該収容容器に２５枚のマスクを積層させて収容し、蓋部を図７のように残し、フックをフック用開口部に掛けることで取り出し可能な状態とした。当該状態で、収容容器からマスクを一枚ずつ２５枚続けて取り出し、各項目についての評価をおこなった。評価者として、医療に従事する者を８人採用した。
【００５４】
まず、「マスクの取り出し易さ」について評価した結果、スムーズに取り出すことができ、マスクを取り出しやすいという評価が得られた。「マスクの落下」について評価した結果、全枚数の取り出し時において、後続のマスクが落下してこないという評価が得られた。「最も正面側のマスクだけを触れるか否か」について評価した結果、全枚数の取り出し時において、最も正面側のマスクだけを触れる状態にあったとの評価が得られた。「フック用開口部が破れないか否か」について評価した結果、２５枚すべてを取り出してもフック用開口部が破れていないことが確認された。「蓋部の第１のミシン目の破れ」について評価した結果、２５枚すべてを取り出しても、蓋部が残っていたという評価が得られた。
【符号の説明】
【００５５】
１…パッケージ、２…マスク、３…収容容器、４…マスク部、６…シールド部、１１…頂部、１２…端部、１４…延在部、１６…Ｖ字溝、２１…開口部、２２…蓋部、２３…上面壁部、２４…下面壁部、２６…正面壁部、２７…背面壁部、２８，２９…側面壁部、３６…上側縁部、３７…下側縁部、３８，３９…横側縁部、４１…第１のミシン目、４２…第２のミシン目、４３…第３のミシン目、４４…第４のミシン目、５０…固定構造。
【図１】
2013230380.tif 000003
【図２】
2013230380.tif 000004
【図３】
2013230380.tif 000005
【図４】
2013230380.tif 000006
【図５】
2013230380.tif 000007
【図６】
2013230380.tif 000008
【図７】
2013230380.tif 000009
【図８】
2013230380.tif 000010
【図９】
2013230380.tif 000011